(57)【要約】      （修正有）【課題】  ブリスターパック等の商品パック吊下げフックに関し、スーパーマーケットやコンビニエンスストアの商品の陳列において、商品パックの落下防止や怪我防止に用いて好適な商品吊下げフック用キャップ部材を提供する。【解決手段】  取付部材にロッド基部を取付け、他端に折曲部を有する商品等吊下げフックにおいて、ロッド先端部にキャップ部材２を容易に嵌着でき、該キャップ部材２が、穴があいている袋物や、ブリスターパック等の商品をロッドに吊下げた時に落下防止と怪我防止になる商品等吊下げフック用キャップ部材。【選択図】  図３
2006102446.tif 000002
【特許請求の範囲】
【請求項１】
取付部材にロッド基部を取付け、他端に折曲部を有する商品等吊下げフックにおいて、ロッド先端部にキャップ部材を容易に嵌着し、該キャップ部材が、穴があいている袋物や、ロッドに引っかかる商品をロッドに吊下げた時に落下しにくいように構成したことを特徴とする商品等吊下げフック用キャップ部材。
【請求項２】
キャップ部材が怪我防止用の弾力性材質で構成されていること特徴とする請求項１記載の商品等吊下げフック用キャップ部材。
【請求項３】
キャップ部材に突起物が一体的に形成されていることを特徴とする請求項１記載の商品等吊下げフック用キャップ部材。
【発明の詳細な説明】
【技術分野】
【０００１】  本発明は、穴のあいた袋物やブリスターパック等の商品吊下げフックにおいて、商品落下防止と怪我防止を目的とする商品等吊下げフック用キャップ部材に関し、スーパーマーケットやコンビニエンスストアの商品の陳列に於いて、商品落下防止や怪我防止に用いて好適な商品等吊下げフック用キャップ部材に関する。
【背景技術】
【０００２】  従来、スーパーマーケットやコンビニエンスストアの商品の陳列に於いて、例えば、吊下げられる商品パックをロッドの前方へ押し出すために、バネを利用した複雑な構造のものが提案されており、いずれもロッド先端部の折曲部で止められているものが知られている。【０００３】  このような従来の商品パック吊下げフックでは、ロッドの折曲部のみで商品の落下防止ができるものとして明細書中に記載されている。（例えば、特許文献１，２参照）【０００４】
【特許文献１】  特開平８−１３１３０２号公報
【特許文献２】  特開平８−１４０７９０号公報
【発明の開示】
【発明が解決しようとする課題】
【０００５】  上述した特許文献１の商品吊下型陳列器具においては、板バネで商品をロッドの前方へ押し出すように構成されており、ロッド先端部が折り曲げられてストッパーとなっている商品吊下型陳列器具が開示されている。【０００６】  また、上述した特許文献２の商品吊下型陳列器具においても、コイルバネで商品をロッドの前方へ押し出すように構成されており、ロッド先端部が折り曲げられてストッパーとなっている商品吊下型陳列器具が開示されている。【０００７】  これらの特許文献１，２に開示された商品吊下型陳列器具は、いずれも複雑な構造で部品数も多く、製造コストが高く組立てにも手間のかかるものであった。【０００８】  本発明はこのような事情に鑑みてなされたものであり、極めて簡単な構造でコストも安く装着も容易な商品等吊下げフック用キャップ部材を提供することを目的とするものである。
【課題を解決するための手段】
【０００９】  このような目的に応えるために本発明に係る商品等吊下げフック用キャップ部材は、取付部材にロッド基部を取付け、他端に折曲部を有する商品等吊下げフックにおいて、ロッド先端部にキャップ部材を容易に嵌着し、該キャップ部材が、穴があいている袋物や、ロッドに引っかかる商品をロッドに吊下げた時に落下しにくいように構成したことを特徴とし、キャップ部材が怪我防止用の弾力性材質で構成されていること特徴とし、且つ、キャップ部材に突起物が一体的に形成されているので怪我防止の効果もある商品等吊下げフック用キャップ部材を提供するものである。
【発明の効果】
【００１０】  本発明に係る商品等吊下げフック用キャップ部材によれば、商品等の吊下げ時に於いて商品の落下防止や怪我防止の効果を有するものである。【００１１】  すなわち、図３乃至図４に示すように、商品等の吊下げ孔の上部は、商品パック自身の自重によってロッドに当接されているので、商品等の吊下げ孔の上部側面はキャップ部材によってスライドして落下しないようになっており、また、客の腕などがロッドの先端部にあたって怪我をすることもないようにキャップ部材は弾力性のある材質で構成されている。【００１２】  また、スーパーマーケットやコンビニエンスストアにおいて、商品等をロッドから取り外す時は、弾力性のある突起物に抗して容易に取り外すことができる。
【発明を実施するための最良の形態】
【００１３】  図面において、図１は本発明に係る商品等吊下げフック用キャップ部材を取り付けた一実施例の形態を示す斜視図である。図２は本発明に係る商品等吊下げフック用キャップ部材をロッド先端部に取り付けた部分断面図である。図３は使用状態を示す斜視図である。図４は図３の矢印Ａ−Ａから見た部分矢視図である。【００１４】  これらの図において、取付部材３にはロッド１の基部が取付部４にて強固に固定されている。取付部材３は商品陳列棚のフレーム（図示せず）に係止部３１，３２を介して取り付けられる。ロッド１の先端は一般的に落下防止用の折曲部１１が形成されているが、本発明の場合は、前述した特許文献１，２のように、この折曲部１１のみで商品の落下防止とするのではなく、弾力性材質で形成された商品等吊下げフック用キャップ部材２とその突縁部２１をロッド先端部に嵌着し、ロッド１を穴のあいた袋物やブリスターパック等の商品等吊下げパック５の吊下げ孔５１に挿通する状態で、商品パックを吊下げるように構成しているので、商品等吊下げパック５は商品等吊下げフック用キャップ部材２の突起物２１で止められて落下が防止されると共に、客がむき出しのロッドによって怪我をすることを防止するものである。【００１５】  すなわち、図３乃至図４に示すように、商品等吊下げパック５の吊下げ孔５１の上部は商品等吊下げパック５自身の自重によってロッド１に当接されているので、商品等吊下げパック５の吊下げ孔５１の上部側面は商品等吊下げフック用キャップ部材２の突起物２１によってスライドしないようになっているので、その結果、商品等吊下げパック５の落下防止となっており、怪我防止にもなっている。【００１６】  また、商品等吊下げフックに吊下げられる商品等吊下げパック５の吊下げ孔５１の内径が、商品等吊下げフック用キャップ部材２の突起物２１の外径と大差なくても、突起物２１が弾力性材質であるのでロッドから商品等吊下げパックを取り外す場合も容易である。【００１７】  また、上述した実施の形態では、本発明に係る商品等吊下げフック用キャップ部材は、取付部材にロッド基部を取付け、他端に折曲部を有する商品等吊下げフックにおいて、シングルフックに限らず、また、商品等吊下げフック用キャップ部材２の形状も、該商品等吊下げフック用キャップ部材２と一体的に形成された突起物も、本発明の技術範囲内で形状を変更することも可能である。
【図面の簡単な説明】
【００１８】
【図１】本考案に係る商品等吊下げフック用キャップ部材を取り付けた一実施例の形態を示す斜視図である。
【図２】本考案に係る商品等吊下げフック用キャップ部材をロッド先端部に取り付けた部分断面図である。
【図３】使用状態を示す斜視図である。
【図４】図３の矢印Ａ−Ａから見た部分矢視図である。
【符号の説明】
【００１９】  １・・・・・ロッド
１１・・・・・折曲部
２・・・・・キャップ部材
２１・・・・・突起物
３・・・・・取付部材
３１・・・・・係止部
３２・・・・・係止部
４・・・・・取付部
５・・・・・商品等吊下げパック
５１・・・・・吊下げ孔
【図１】
2006102446.tif 000003
【図２】
2006102446.tif 000004
【図３】
2006102446.tif 000005
【図４】
2006102446.tif 000006